(57)【要約】【課題】発光部の光によって誘引された虫を捕虫シートに効率的に捕捉できるとともに、捕虫シートに捕捉された虫が外部から見えにくい捕虫器を提供すること。【解決手段】捕虫器１は、外側面として第１面１１１、第２面１１２及び第３面１１３を有する断面が略Ｕ字状の本体１０（本体プレート部１１）と、本体１０の内側に配置され、虫を誘引する誘引光を照射可能な光源９０と、本体１０の開口側であって両端のそれぞれに配置され、本体１０とは逆向きのＵ字状のアーム部１５と、本体１０の開口側に着脱自在に配置され、アーム部１５よりも内側で光源９０を覆うとともに、本体１０との間に隙間を形成するカバー５０と、光源９０に対向するようにカバー５０の内側に配置され、虫を捕捉する粘着シート（捕虫シート）７０と、を備える。【選択図】図９
2018061508.tif 000002
【特許請求の範囲】
【請求項１】
外側面として第１面、第２面及び第３面を有する断面が略Ｕ字状の本体と、
前記本体の内側に配置され、虫を誘引する誘引光を照射可能な光源と、
前記本体の開口側であって両端のそれぞれに配置され、前記本体とは逆向きのＵ字状のアーム部と、
前記本体の開口側に着脱自在に配置され、前記アーム部よりも内側で前記光源を覆うとともに、前記本体との間に隙間を形成するカバーと、
前記光源に対向するように前記カバーの内側に配置され、虫を捕捉する捕虫シートと、
を備える捕虫器。
【請求項２】
前記カバーは、その断面が略Ｌ字又は略Ｃ字状に形成され、前記本体のＵ字の一側の端部との間に隙間を形成しつつ他側の端部には対向するように前記本体に取り付けられ、
少なくとも前記本体の開口側からは前記カバーによって前記捕虫シートが死角に位置する請求項１に記載の捕虫器。
【請求項３】
前記本体におけるＵ字の一側の端部が対向する他側の端部よりも短く形成される請求項１又は２に記載の捕虫器。
【請求項４】
前記本体の内側であって前記光源の両側に配置される１対のサイドプレート部を更に備え、
前記サイドプレート部を介して前記カバーが前記本体に固定される請求項１〜３の何れかに記載の捕虫器。
【請求項５】
前記サイドプレート部には、貫通孔が形成される請求項４に記載の捕虫器。
【請求項６】
一対の前記サイドプレート部の間を接続するとともに磁石が１又は複数配置されるフレーム部を更に備え、
前記カバーにおける前記フレーム部に対向する部分が磁石の磁力が作用する金属製である請求項４又は５に記載の捕虫器。
【請求項７】
前記カバーにおける捕虫シートの取付位置の両側には貫通孔がそれぞれ形成されるとともに、該貫通孔の外側にはスナップラッチ式のピンがそれぞれ配置され、
前記サイドプレート部には前記ピンが嵌合するピン孔が形成される請求項４〜６に記載の捕虫器。
【発明の詳細な説明】
【技術分野】
【０００１】
本発明は、光源から照射される光を利用して虫を捕獲する捕虫器に関する。
【背景技術】
【０００２】
従来から、光により虫を誘引し、粘着性のある捕虫シートによって捕捉する捕虫器が知られている。この種の捕虫器を開示するものとして、例えば、特許文献１や特許文献２がある。特許文献１には、蛍光灯等により構成される発光部と、発光部の近傍に繰り出される捕虫シートと、この捕虫シートの繰り出しを許容し当該捕虫シートを保持する保持手段とを備えた捕虫器に関する技術が開示されている。また、特許文献２には、ＬＥＤを光源とする発光部に誘引された害虫を捕獲する捕虫シートを着脱自在に保持する捕虫器用シート保持具を備える捕虫器に関する技術が開示されている。
【先行技術文献】
【特許文献】
【０００３】
【特許文献１】特開２０１２−４５００４号公報
【特許文献２】特開２０１３−１６５６７９号公報
【発明の概要】
【発明が解決しようとする課題】
【０００４】
虫は光に誘引されて発光部に集まるため、発光部の周囲を飛び回っている間は捕虫シートに捕捉されない。虫を効率的に捕捉するためには、発光部の光に誘引された虫を捕虫シートにスムーズに導く必要がある。この点、特許文献１に開示される捕虫器では、本体フレームの内部に保持される蛍光灯により、捕虫シートを通じて外部に光を発することで、虫を捕虫シートまで誘引しているものの、捕虫シートが外側に大きく露出することになり、捕虫シートに捕捉された虫が丸見えの状態になってしまう。
【０００５】
特許文献２に開示される捕虫器では、奥側で捕捉された虫は外部から見え難くなっているものの、外部に露出する発光部の光に虫が誘引されるため、捕虫シートが配置される空間の奥側まで虫が侵入し難く、捕虫シート全域を活用することが難しかった。また、奥側は見え難くなっているものの、交換作業を容易にするために捕虫シートが入口側まで達しており、入口で捕虫シートにより捕捉された虫が外部から簡単に見えてしまっていた。加えて、発光部が露出する構成では、虫が発光部の周囲を飛び回ることがあり、捕虫シートまで虫をスムーズに誘導するという観点でも改善の余地があった。
【０００６】
また、壁面をガラス張りにした店舗等に捕虫器を配置する場合、捕虫シートに捕獲した虫を外部から見えないようにするためには、屋内だけではなくガラスを通して見える室外からの視線にも対応する必要がある。このように、従来の捕虫器の構造では、虫を効率的に捕捉する捕捉性能の向上と、捕捉された虫を見えにくくするデザイン性の向上と、を両立することが難しかった。
【０００７】
本発明は、発光部の光によって誘引された虫を捕虫シートに効率的に捕捉できるとともに、捕虫シートに捕捉された虫が外部から見えにくい捕虫器を提供することを目的とする。
【課題を解決するための手段】
【０００８】
本発明は、外側面として第１面、第２面及び第３面を有する断面が略Ｕ字状の本体と、前記本体の内側に配置され、虫を誘引する誘引光を照射可能な光源と、前記本体の開口側であって両端のそれぞれに配置され、前記本体とは逆向きのＵ字状のアーム部と、前記本体の開口側に着脱自在に配置され、前記アーム部よりも内側で前記光源を覆うとともに、前記本体との間に隙間を形成するカバーと、前記光源に対向するように前記カバーの内側に配置され、虫を捕捉する捕虫シートと、を備える捕虫器に関する。
【０００９】
前記カバーは、その断面が略Ｌ字又は略Ｃ字状に形成され、前記本体のＵ字の一側の端部との間に隙間を形成しつつ他側の端部には対向するように前記本体に取り付けられ、少なくとも前記本体の開口側からは前記カバーによって前記捕虫シートが死角に位置することが好ましい。
【００１０】
前記本体におけるＵ字の一側の端部が対向する他側の端部よりも短く形成されることが好ましい。
【００１１】
前記捕虫器は、前記本体の内側であって前記光源の両側に配置される１対のサイドプレート部を更に備え、前記サイドプレート部を介して前記カバーが前記本体に固定されることが好ましい。
【００１２】
前記サイドプレート部には、貫通孔が形成されることが好ましい。
【００１３】
前記捕虫器は、一対の前記サイドプレート部の間を接続するとともに磁石が１又は複数配置されるフレーム部を更に備え、前記カバーにおける前記フレーム部に対向する部分が磁石の磁力が作用する金属製であることが好ましい。
【００１４】
前記カバーにおける捕虫シートの取付位置の両側には貫通孔がそれぞれ形成されるとともに、該貫通孔の外側にはスナップラッチ式のピンがそれぞれ配置され、前記サイドプレート部には前記ピンが嵌合するピン孔が形成されることが好ましい。
【発明の効果】
【００１５】
本発明によれば、発光部の光によって誘引された虫を捕虫シートに効率的に捕捉できるとともに、捕虫シートに捕捉された虫が外部から見えにくくなる捕虫器の構造を実現できる。
【図面の簡単な説明】
【００１６】
【図１】本発明の一実施形態に係る捕虫器を示す斜視図である。
【図２】本実施形態の捕虫器の正面図である。
【図３】本実施形態の捕虫器の背面図である。
【図４】本実施形態の捕虫器の平面図である。
【図５】本実施形態の捕虫器の右側面図である。
【図６】本実施形態の捕虫器の底面図である。
【図７】本実施形態の捕虫器の左側面図である。
【図８】本実施形態の捕虫器の断面図（図２のＡ−Ａ線断面図）である。
【図９】本実施形態のカバー及びカバーを取り外した捕虫器の斜視図である。
【図１０】本実施形態の捕虫器のカバーの右側面図である。
【図１１】本実施形態の捕虫器のカバーの背面図である。
【図１２】本実施形態の捕虫器のカバーの平面図である。
【図１３】本実施形態のカバーを取り外した捕虫器の一側（右側）の端部を示す拡大斜視図である。
【図１４】本実施形態のカバーを取り外した捕虫器の他側（左側）の端部を示す拡大斜視図である。
【図１５】本実施形態のカバーを取り付けた捕虫器の他側の端部を示す拡大斜視図である。
【図１６】本実施形態の捕虫器の他側の端部の背面側を示す拡大斜視図である。
【図１７】本実施形態のカバーを取り外した捕虫器の他側（左側）の端部及び電源スイッチや電源コード等を示す拡大斜視図である。
【図１８】本実施形態のカバーを取り外した捕虫器の他側（右側）の端部を図１３とは異なる角度で示す拡大斜視図である。
【図１９】本実施形態の捕虫器の内部を示す断面斜視図である。
【図２０】本実施形態のカバー及びカバーを取り外した状態の捕虫器を示す斜視図である。
【図２１】本実施形態の捕虫器の他側の端部を背面側から見たピンとピン孔の嵌合状態を示す拡大斜視図である。
【図２２】本実施形態の捕虫器の長手方向を上下方向に向けた縦置状態を示す斜視図である。
【図２３】本実施形態の捕虫器の横置状態の一例を示す斜視図である。
【発明を実施するための形態】
【００１７】
以下、本発明の好ましい一実施形態について図面を参照しながら説明する。なお、以下の説明において、正面、背面、左右といった方向は、捕虫器の置き方に基づくものであり、置き方によっては正面、背面、左右の関係が変わることがあるものとする。
【００１８】
図１は、本発明の一実施形態に係る捕虫器１を示す斜視図である。図２は捕虫器１の正面図を示し、以下同様に、図３は捕虫器１の背面図、図４は、捕虫器１の平面図、図５は捕虫器１の右側面図、図６は捕虫器１の底面図、図７は捕虫器１の左側面図である。図８は、本実施形態の捕虫器１の断面図であり、図２のＡ−Ａ線断面図である。図９は、本実施形態のカバー５０及びカバー５０を取り外した捕虫器１の斜視図である。図１０は、本実施形態の捕虫器１のカバー５０の右側面図である。図１１は、本実施形態の捕虫器１のカバー５０の背面図である。図１２は、本実施形態の捕虫器１のカバー５０の平面図である。
【００１９】
図１〜図１２に示すように、捕虫器１は、誘引用の光源９０が配置される細長の本体１０と、該本体１０に取り付けられるカバー５０と、を主要な構成として備える。カバー５０は、捕虫用の粘着シート（捕虫シート）７０が背面（裏）側にセットされ、本体１０に対して着脱可能に構成される。図１に示すように、本実施形態の捕虫器１は、その全体の外形が細長に形成される。図２に示すように、捕虫器１は、床Ｆに横置きされた状態となっている。
【００２０】
本体１０の構成について説明する。本体１０は、本体プレート部１１と、光源９０を保持するソケット部１２と、左右一対のサイドプレート部１３と、左右一対のアーム部１５と、フレーム部１６と、を備える。
【００２１】
本体プレート部１１は、非透光性の材料によって構成される。本実施液体では、板状の金属部材を折り曲げ加工することによって構成される。図８に示すように、本体１０の長手方向視の断面形状は略Ｕ字状になっている。以下、図１〜図２１においては、本体プレート部１１の上面を第１面１１１、底面を第２面１１２、背面を第３面１１３として説明する。
【００２２】
図２に示すように、本体プレート部１１の第２面１１２には、樹脂製の足部１２１が配置される。図２では、足部１２１によって床Ｆから第２面１１２が離れた状態で捕虫器１が横置きされる様子が示されている。図６に示すように、足部１２１は、第２面１１２の４隅に計４個配置される。なお、第２面１１２から足部１２１を省略したり、第３面１１３に足部１２１を設けたりすることもできる。即ち、足部１２１の配置位置、数等も適宜変更可能である。
【００２３】
また、本体プレート部１１の第２面１１２及び第３面１１３のそれぞれには係合孔１２２が配置される。係合孔１２２は、何れも鍵穴状に形成されている。係合孔１２２は、壁等に捕虫器１を固定する場合等に用いられる。本実施形態の係合孔１２２は、第２面１１２の両端部にそれぞれ形成されるとともに、第３面１１３の両端部のそれぞれに形成される。
【００２４】
図３に示すように、第２面１１２には、本体１０の長手方向で間隔をあけて複数（４箇所）の凹部１２３が形成される。図８に示すように、凹部１２３は、第２面１１２の外側から内側に向かうにつれて次第に窄まるすり鉢状（円錐台形状）に形成される（図１６参照）。凹部１２３は、後述するソケット部１２の位置に対応している。凹部１２３の底部にはネジやビス等の締結部材が外側から締結され、第２面１１２を貫通して本体プレート部１１の内側でソケット部１２を締結固定できるようになっている。なお、凹部１２３は、本体プレート部１１の内側では凸部となってソケット部１２の背面側に接触する高台として機能させることもできる。
【００２５】
ソケット部１２は、本体プレート部１１のＵ字の内底側に相当する部分に配置される。ソケット部１２に光源９０が収容される。光源９０は、虫を誘引する成分を含む誘引光を照射可能なＬＥＤによって構成される。なお、光源９０はＬＥＤ方式に限定されず、虫を誘引する誘引光として紫外線を照射する蛍光灯等、その他の方式のものを用いることができる。
【００２６】
図１３は、本実施形態のカバー５０を取り外した捕虫器１の一側（右側）の端部を示す拡大斜視図である。図１４は、本実施形態のカバー５０を取り外した捕虫器１の他側（左側）の端部を示す拡大斜視図である。図１５は、本実施形態の捕虫器１の他側の端部を示す拡大斜視図である。図１６は、本実施形態の捕虫器１の他側の端部の背面側を示す拡大斜視図である。図１７は、本実施形態のカバー５０を取り外した捕虫器１の他側（左側）の端部及び電源スイッチ１８１や電源コード１８２等を示す拡大斜視図である。図１８は、本実施形態のカバー５０を取り外した捕虫器１の他側（右側）の端部を図１３とは異なる角度で示す拡大斜視図である。図１９は、本実施形態の捕虫器１の内部を示す断面斜視図である。図２０は、本実施形態のカバー５０及びカバー５０を取り外した状態の捕虫器を示す斜視図である。図２１は、本実施形態の捕虫器１の他側の端部を背面側から見たピン５３とピン孔１３７の嵌合状態を示す拡大斜視図である。
【００２７】
図１３及び図１４に示すように、サイドプレート部１３は、本体プレート部１１のＵ字の内底側であってソケット部１２の両側のそれぞれに配置される。図１５〜図１８に示すように、サイドプレート部１３は、左右方向を向く側面部１３１と、本体プレート部１１に固定される屈曲片１３２と、を備える。屈曲片１３２は、側面部１３１の背面側がら左右方向内側に屈曲しており、本体プレート部１１の内側面に対向する面を有する。
【００２８】
本体プレート部１１の第３面１１３にはビスやネジ等の締結部材１４０が複数締結される。これらの締結部材１４０によって屈曲片１３２が本体プレート部１１の内側で保持固定される（図１６参照）。
【００２９】
サイドプレート部１３の側面部１３１には円弧状の貫通孔１３３が形成される。ここで、一側のサイドプレート部１３をサイドプレート部１３ａとし（図５参照）、他側のサイドプレート部１３をサイドプレート部１３ｂ（図７参照）とする。サイドプレート部１３ａには、当該サイドプレート部１３ａの下端面から鍵穴状に切り欠かれた取付孔１３４が形成される。サイドプレート部１３ｂには、円形の径の異なる取付孔１３５が２箇所形成される。取付孔１３４，１３５は、何れも貫通状に形成されており、後述する電源関係の部品の一部を通したり、操作をするために手を差し入れたりする孔として用いられる。
【００３０】
サイドプレート部１３には、その正面側に外側に延びる本体側取付片１３６が形成される。本体側取付片１３６には、ピン孔１３７が形成される。ピン孔１３７は、後述するカバー５０のピン５３を嵌合固定するための嵌合孔である。
【００３１】
また、図１４及び図１５に示すように、他側のサイドプレート部１３とソケット部１２の間には電源ボックス９１が配置される。そして、図１７に示すように、電源ボックス９１が配置される側のサイドプレート部１３の２箇所の取付孔１３５のうち、１つの取付孔１３５には電源ボックス９１に設けられる配置される電源スイッチ１８１が位置しており、もう１つの取付孔１３５からは電源コード１８２がサイドプレート部１３の内側から外側に延び出ている。電源コード１８２は、使用する光源９０にもよるが、例えば１００Ｖ仕様のものが用いられる。
【００３２】
図１８に示すように、一側のサイドプレート部１３の取付孔１３４にはキャップ部材１３８が取り付けられている。なお、本実施形態では、電源コード１８２が他側のサイドプレート部１３の取付孔１３５から延び出るように構成されているが、一側のサイドプレート部１３の取付孔１３４から延び出るように構成してもよい。この構成では、取付孔１３４が鍵穴状に形成されているので、取付孔１３４の円形部分を通さずに、方形部分から電源コード１８２を出し入れすることもできる。電源スイッチ１８１は、本体１０の右側端部に配置してもよいし左側端部でもよいし、中央背面側に配置してもよく、その配置場所は特に限定されない。同様に、電源コード１８２の配置も右側端部や左側端部でもよく、背面中央側でもよい。即ち、電源ボックス９１、電源スイッチ１８１及び電源コード１８２等の電気部品の構成や配置場所は、上記実施形態の説明場所に限定されず、事情に応じて適宜変更できる。
【００３３】
次に、フレーム部１６について説明する。図９に示すように、フレーム部（補強フレーム）１６は、左右のサイドプレート部１３の間に配置される本体１０の長手方向に延びる長尺部材である。図６及び図７に示すように、フレーム部１６は、サイドプレート部１３の側面部１３１の外側からビスやネジ等の締結部材１４１によって当該側面部１３１の内側に締結固定される。
【００３４】
図１３や図１４に示すように、フレーム部１６には磁石１６１が２個配置される。２個の磁石１６１は、左右のサイドプレート部１３のそれぞれの近傍に配置されている。磁石１６１は、全体としては直方体状であり、平面部分が正面を向いた状態でフレーム部１６に固定される。
【００３５】
アーム部１５は、本体プレート部１１のＵ字の内側の両端部に配置される。左右一対のアーム部１５は、何れも、金属製のパイプを曲げて形成されており、その全体形状が一側の端部が短い略Ｕ字状になっている。アーム部１５は、ビスやネジ等の締結部材によって本体プレート部１１の第１面１１１の内側及び第２面１１２の内側のそれぞれに固定される。即ち、アーム部１５は、本体プレート部１１のＵ字の内側に納まる形状となっている。なお、パイプによって構成されるアーム部１５に、ゴム等の弾性部材や緩衝材を巻き付ける構成とすることもできる。
【００３６】
次に、カバー５０の構成について説明する。カバー５０は、非透光性の材料であり、粘着シート７０はカバー５０の裏側に着脱可能に構成される。本実施形態のカバー５０は、板状の金属部材を折り曲げ加工によって形成される。本体１０にカバー５０が取り付けられた状態で捕虫器１は全体として略直方体形状となる。
【００３７】
図１０〜図１２に示すように、カバー５０は、その長手方向視で断面形状が略Ｌ字状又は略Ｃ字状となっている。カバー５０のＬ字の屈曲部に相当する部分は曲面となっている。カバー５０の両端のそれぞれには、持ち手用の貫通孔５２が形成される。貫通孔５２は、カバー５０の短手方向に細長い長孔となっている。
【００３８】
カバー５０における貫通孔５２の更に外側にはカバー側取付片５５が配置される。カバー側取付片５５は、上述の本体側取付片１３６に対応する位置に形成されており、カバー５０両側のそれぞれに設けられる。カバー側取付片５５には、貫通孔（図示省略）が形成されており、該貫通孔にピン５３が嵌合固定される。カバー５０は、ピン５３がピン孔１３７に嵌合固定されるとともに、金属製のカバー５０の上部はフレーム部１６の磁石１６１の磁力によって固定される。
【００３９】
図１９に示すように、カバー５０の裏側には一対のガイドレール５１ａ，５１ｂが設けられる。本実施形態のガイドレール５１ａ，５１ｂは、カバー５０の長辺部分の一部を折り曲げて形成されており、長手方向に沿って延びる形状となっている。カバー５０の裏側面とガイドレール５１ａ，５１ｂによって形成された隙間に粘着シート７０が差し込まれる。
【００４０】
粘着シート７０は、可撓性を有する材料で形成されている。当該粘着シート７０には蛍光塗料が塗られている。
【００４１】
図２０に示すように、カバー５０を取り外した状態においてもピン５３はカバー５０に取り付けられた状態が維持される。即ち、本体１０からカバー５０が取り外される場合、ピン５３は、サイドプレート部１３のピン孔１３７から離脱するものの、カバー５０からは離脱しない構成となっている。
【００４２】
ここで、本実施形態のピン５３の構成について説明する。図２１に示すように、ピン５３は、先端が先割れするスナップラッチである。ピン５３がスナップラッチで構成されることにより、ピン孔１３７に対して着脱可能に係合される。
【００４３】
本実施形態の捕虫器１の主要な構成は以上の通りである。光源９０を点灯すると、カバー５０と本体１０の隙間から光が漏れ出て、この光に誘引された虫がカバー５０と本体１０の隙間等から捕虫器１の内部に進入し、粘着シート７０に捕捉される。図１〜図７に示すように、粘着シート７０は、カバー５０の裏側に取り付けられているので、正面視、背面視、側面視では死角に位置し、捕捉された虫は外側から見えないという美観上の特徴を有する。従って、壁面をガラス張りにした店舗等に捕虫器１を置く場合においても、屋内側だけでなく室外側からも粘着シート７０が死角にある状態とすることができる。
【００４４】
また、本実施形態の粘着シート７０には、蛍光色が塗布されており、光源９０から照射された光が粘着シート７０で反射することで、粘着シート７０の色に応じた光が捕虫器１から漏れ出る。更に、粘着シート７０は、カバー５０を取り外して容易に交換可能になっている。カバー５０は、金属製であり、ピン５１がピン孔１３７に挿入されるとともに磁石（マグネット）によって本体１０に固定される。
【００４５】
本実施形態の捕虫器１は、様々な置き方が可能になっている。次に、捕虫器１の異なる置き方について説明する。なお、以下の説明では、これまで正面、背面、左右として説明していた位置関係は、置き方によって変わることになる。
【００４６】
図２２は、本実施形態の捕虫器１の長手方向を上下方向に向けた縦置状態を示す斜視図である。図２２に示すように、壁Ｗによって形成される室内（部屋）のコーナーに、捕虫器１の長手方向を縦にして縦置き配置することができる。
【００４７】
次に、図１〜図２１に示した第３面１１３を背面側にした横置きとは異なる置き方について図２３を参照して説明する。図２３は、本実施形態の捕虫器１の横置状態の一例を示す斜視図である。図２３では、図１〜図２１で説明した置き方と異なる他の置き方として、第２面１１２を背面側にする横置状態が示されている。
【００４８】
図２３に示す横置状態では、捕虫器１は、両側のアーム部１５が足として機能することになる。この置き方においても、本体プレート部１１の第２面１１２及び第３面１１３からは光が漏れない構造になっている。この置き方では、第２面１１２が壁Ｗに対向する背面側となっている。捕虫器１における正面側となる第１面１１１の下方には隙間が有るので、光源９０からの光が床に反射し、拡がるようになっている。また、捕虫器１から背面側には光が漏れないので虫が背面の壁Ｗがガラスであっても、ガラスＷの室外面に虫が集まり難くなっている。
【００４９】
このように、第２面１１２を下に置いた状態（図１〜図２１に示す状態）やアーム部１５を足とする状態（図２３に示す状態）で捕虫器１を使用することができる。また、場合によっては第３面１１３を下に向けた横置状態で捕虫器１を使用したり、図２２に示す状態とは上下を反対にした縦置状態で捕虫器１を使用したりすることもできる。即ち、略直方体状に形成される捕虫器１の全ての面を下向きにして配置することができるのである。
【００５０】
以上説明した本実施形態及び各図によれば、以下のような効果を奏する。
本実施形態の捕虫器１は、外側面として第１面１１１、第２面１１２及び第３面１１３を有する断面が略Ｕ字状の本体１０（本体プレート部１１）と、本体１０の内側に配置され、虫を誘引する誘引光を照射可能な光源９０と、本体１０の開口側であって両端のそれぞれに配置され、本体１０とは逆向きのＵ字状のアーム部１５と、本体１０の開口側に着脱自在に配置され、アーム部１５よりも内側で光源９０を覆うとともに、本体１０との間に隙間を形成するカバー５０と、光源９０に対向するようにカバー５０の内側に配置され、虫を捕捉する粘着シート（捕虫シート）７０と、を備える。
【００５１】
これにより、漏出する光により捕虫器１の近くまで誘引された虫は、光源（ＬＥＤ灯）９０の光が直接的に照射される粘着シート（捕虫シート）７０の方へ誘引され、当該粘着シート７０で捕捉される。また、捕虫器１の内部は、光源９０から照射された光が反射を繰り返す空間になっているので、内部に入った虫は外部に脱出することなくやがて粘着シート７０に捕捉される。加えて、本実施形態では、粘着シート７０の色として蛍光色を採用しているので、誘引効果もより高くなっている。このように、本実施形態の捕虫器１は、光源９０の光によって誘引された虫を粘着シート７０に効率的に捕捉できるとともに、粘着シート７０に捕捉された虫が外部から見えにくくなる捕虫器１の構造を実現している。特に、コンビニ、飲食店等の店舗で本実施形態の捕虫器１を用いる場合において、粘着シート７０を交換するときは、カバー５０を外して裏側を見せないようにバックヤードにもっていくことができ、顧客に虫のついた粘着シート７０を見せないように処理することもできる。また、本実施形態の捕虫器１は、縦置き、横置き等、配置場所に応じて柔軟な置き方が可能になっている。例えば、図１に示す横置きでは、第２面１１２が底面として機能し、図２３に示す横置きではアーム部１５が足として機能する。また、図２２に示す縦置きでは、本体１０の端面とともにアーム部１５が底部として機能する。そして、図１〜２１や図２３に示す横置状態及び図２２に示す縦置状態の何れにおいても、粘着シート７０を死角に位置させつつ、捕虫器１から漏出する光によって虫を誘引捕捉できる。このように、全体としては直方体状に形成される捕虫器１を様々なバリエーションに対応させて６面置きで使用することができる。そして、図１〜２１や図２３に示す横置状態及び図２２に示す縦置状態の何れにおいても、背面側から光が漏れないように配置することができるので、透明な材料（ガラス）で構成される壁Ｇ際においたとしても、捕虫器１の誘引光によってガラスの壁Ｇの室外側面に虫が集まり難くすることができる。本実施形態のように細長に構成することにより、陳列棚の下方に置くこともでき、店舗で使用される際の種々の要求に対応できるのである。
【００５２】
また、本実施形態のカバー５０は、その断面が略Ｌ字又は略Ｃ字状に形成され、本体１０のＵ字の一側の端部（第１面１１１の端部）との間に隙間を形成しつつ他側の端部（第２面１１２の端部）には対向するように本体１０に取り付けられる（図１や図４等参照）。そして、少なくとも本体１０の開口側（図２における正面側）からはカバー５０によって粘着シート７０が死角に位置する。
これにより、粘着シート７０が、本体１０の光源９０の図２における正面側に対向配置されており、正面側から粘着シート７０が見えない状態になる。（図２参照）。即ち、本体１０及びカバー５０の互い違いな構造によって、略全方位にわたって外部から粘着シート７０が見えなくなる死角に位置し、捕捉された虫が美観を損なう事態の発生をより確実に防止している。
【００５３】
また、本実形態では、本体１０におけるＵ字の一側の端部（図１における第１面１１１の端部）が対向する他側の端部（第２面１１２の端部）よりも短く形成される（図７，８，１９等参照）。
これにより、光を斜めに漏出させて正面側の床Ｆ等にあてて拡散することができ、虫の誘引範囲を拡大することができる。
【００５４】
また、本実施形態の捕虫器１は、本体１０の内側であって光源９０の両側に配置される１対のサイドプレート部１３を更に備え、サイドプレート部１３を介してカバー５０が本体１０に固定される。
これにより、本体１０とカバー５０の間の空間がサイドプレート部１３によっても囲われるので、本体１０とカバー５０の間に虫が入ると粘着シート７０によって捕獲されるまで捕虫器１の外部に脱出できなくなり、捕捉効果をより一層向上させることができる。また、光源９０を挟んで配置される一対のサイドプレート部１３によってカバー５０を安定的に保持することができる。
【００５５】
また、本実施形態では、サイドプレート部１３に貫通孔１３３が形成される。
これにより、側方に誘引光を漏出させて誘引効果をより一層向上させることができる。
【００５６】
また、本実施形態の捕虫器１は、一対の前記サイドプレート部１３の間を接続するとともに磁石１６１が複数配置されるフレーム部１６を更に備え、カバー５０におけるフレーム部１６に対向する部分が磁石の磁力が作用する金属製である。なお、本実施形態では、カバー５０全体が金属（例えばスチール）製となっている。
これにより、フレーム部１６によってサイドプレート部１３が接続されるので捕虫器１の構造が補強されるとともに本体１０に対するカバー５０の取付性をより一層向上させることができる。カバー５０の着脱もが容易になるので粘着シート７０の交換も迅速に行うことができる。
【００５７】
また、本実施形態のカバー５０の両側には貫通孔５２がそれぞれ形成されるとともに、該貫通孔５２の外側にはスナップラッチ式のピン５３がそれぞれ配置され、サイドプレート部１３にはピン５３が嵌合するピン孔１３７が形成される。
これにより、スナップラッチ式のピン５３によってカバー５０が意図せず外れる事態の発生を確実に防止しつつ、貫通孔５２を持ち手として使用することでカバー５０の取り外しを容易に行うことができる。また、貫通孔５２によってカバー５０の可搬性も向上するので、上述のように店舗内で捕虫器１を使う場合において、粘着シート７０が設置される側を隠したままカバー５０をバックヤードまで容易に搬送させることができる。
【００５８】
以上、本発明の好ましい実施形態について説明したが、本発明は、上述の実施形態に制限されるものではなく、適宜変更が可能である。
【００５９】
なお、上記実施形態から以下の技術的思想を把握することができる。
本実施形態の捕虫器は、細長に形成され、断面形状が略Ｕ字状に形成される本体（第１面、第２面及び第３面を有する本体）と、前記本体における略Ｕ字の内側に配置され、光を照射する光源と、前記本体の長手方向の両側にそれぞれ配置され、前記本体とは逆向きの略Ｕ字のパイプ状に形成されるアーム部（パイプ）と、断面形状が略Ｌ字状に形成され、前記本体における略Ｕ字の内側であって前記アーム部よりも内側に前記本体に着脱自在に取り付けられるカバーと、前記カバーの裏側に着脱可能に取り付けられる粘着シート（捕虫シート）と、を備え、前記本体と前記カバーの間の隙間から漏れる光によって虫を誘引し、粘着シートによって虫を捕捉する。
前記本体及び前記カバーによって前記光源が外側から見えない死角に位置することが好ましい。
前記本体の側面には光を漏らす孔が形成されることが好ましい。
前記本体におけるＵ字の一側の端部が対向する他側の端部よりも短く形成され、この短く形成された部分から光が漏れ出すことが好ましい。
前記捕虫器は、前記本体の内側には長手方向に延びる補強フレームと、前記補強フレームに配置され、金属で構成されるカバーを固定する磁石と、を更に備え、前記カバーの長手方向の両側にはスナップラッチ式のピンがそれぞれ配置され、前記本体の内側における長手方向の両側には前記ピンを着脱自在に嵌合できるピン孔が設けられることが好ましい。
【符号の説明】
【００６０】
１  捕虫器
１０  本体
１１  本体プレート部（本体）
１３  サイドプレート部
１６  フレーム部
５０  カバー
５２  貫通孔（カバーの貫通孔）
５３  ピン
７０  粘着シート（捕虫シート）
９０  光源
１１１  第１面
１１２  第２面
１１３  第３面
１３３  貫通孔（サイドプレート部の貫通孔）
１３７  ピン孔
１６１  磁石
【図１】
2018061508.tif 000003
【図２】
2018061508.tif 000004
【図３】
2018061508.tif 000005
【図４】
2018061508.tif 000006
【図５】
2018061508.tif 000007
【図６】
2018061508.tif 000008
【図７】
2018061508.tif 000009
【図８】
2018061508.tif 000010
【図９】
2018061508.tif 000011
【図１０】
2018061508.tif 000012
【図１１】
2018061508.tif 000013
【図１２】
2018061508.tif 000014
【図１３】
2018061508.tif 000015
【図１４】
2018061508.tif 000016
【図１５】
2018061508.tif 000017
【図１６】
2018061508.tif 000018
【図１７】
2018061508.tif 000019
【図１８】
2018061508.tif 000020
【図１９】
2018061508.tif 000021
【図２０】
2018061508.tif 000022
【図２１】
2018061508.tif 000023
【図２２】
2018061508.tif 000024
【図２３】
2018061508.tif 000025